(57)【要約】【課題】椅子を輸送する際の積載効率や、倉庫等への保管効率を向上させる。【解決手段】背凭れ支持杆９の下端に、その枢着部の回転軸線と直交する方向を向く突部２３ａを設けるとともに、支基６に、ストッパ部材２５を、突２３ａと当接することにより、背凭れ支持杆９の前方への回動を阻止し、背凭れ１１を起立状態に保持しうる位置から、突部２３ａの回動軌跡より退避させることにより、背凭れ支持杆９の前方への回動を許容し、背凭れ１１を前傾させうる位置までの間を移動可能に設ける。【選択図】図６
2007275363.tif 000002
【特許請求の範囲】
【請求項１】
脚体の上端に設けた支基に、背凭れを有する背凭れ支持杆の下端を、前記支基に設けた前向付勢手段に抗して背凭れ支持杆が後向きに回動しうるように枢着してなるリクライニング椅子において、前記背凭れ支持杆の下端に、その枢着部の回転軸線と直交する方向を向く突部を設けるとともに、前記支基に、ストッパ部材を、前記突部と当接することにより、前記背凭れ支持杆の前方への回動を阻止し、前記背凭れを起立状態に保持しうる位置から、突部の回動軌跡より退避させることにより、前記背凭れ支持杆の前方への回動を許容し、背凭れを前傾させうる位置までの間を移動可能に設けたことを特徴とするリクライニング椅子。
【請求項２】
突部を、背凭れの支持杆の下端に連設された左右方向を向く枢軸部の外周面に前向きに突設するとともに、ストッパ部材を、支基における前記枢軸部より前方の上面に、前後方向に移動可能に設けてなる請求項１記載のリクライニング椅子。
【請求項３】
ストッパ部材に、上下方向を向くめねじ孔を設け、このめねじ孔に、支基の下面に設けた前後方向を向く長孔に下方より挿入したボルトを螺合することにより、ストッパ部材を、支基の上面に前後方向に移動可能に固定してなる請求項２記載のリクライニング椅子。
【請求項４】
突部とストッパ部材とを、少なくとも左右１対ずつ設けてなる請求項１〜３のいずれかに記載のリクライニング椅子。
【請求項５】
背凭れ支持杆に座体の後部を左右方向を向く軸まわりに回動可能に枢着するとともに、座体の前端部を、その下面と支基の上面に設けたガイド手段により前後方向に摺動可能に支持してなるものにおいて、背凭れを前傾させたとき、前記座体の前端部が前記ガイド手段のガイド領域から外れ、座体を、後部の枢着部を中心として上向きに回動させうるようにした請求項１〜４のいずれかに記載のリクライニング椅子。
【発明の詳細な説明】
【技術分野】
【０００１】
本発明は、脚柱の上端に設けた支基に、背凭れを有する背凭れ支持杆の下端を、前後方向に回動可能に枢着してなるリクライニング椅子に関する。
【背景技術】
【０００２】
この種のリクライニング椅子としては、例えば特許文献１に記載されているものがある。
【特許文献１】特開２００３−１３５１８８号公報
【発明の開示】
【発明が解決しようとする課題】
【０００３】
上記特許文献１に記載されているリクライニング椅子においては、支基により前後方向に回動可能に支持された背凭れ支持杆（背杆）の下端に、上下方向を向くガイドピンを突設し、このガイドピンの突出端部を、支基に固着された固定金具におけるスリットに回動可能に嵌合することにより、背凭れ支持杆の前後の回動範囲、すなわちリクライニング範囲を規制している。
【０００４】
そのため、背凭れ支持杆及びそれに取付けられた背凭れは、常に起立した状態にあり、椅子全体の高さが高くなることにより、車両により輸送する際の積載効率や、倉庫等に保管する際の保管効率が悪いという問題を有している。
【０００５】
本発明は、上記問題に鑑みてなされたもので、背凭れ支持杆を前方に傾動可能とすることにより、輸送時の積載効率や、倉庫等への保管効率を向上させうるようにしたリクライニング椅子を提供することを目的としている。
【課題を解決するための手段】
【０００６】
本発明によると、上記課題は、次のようにして解決される。
（１）脚体の上端に設けた支基に、背凭れを有する背凭れ支持杆の下端を、前記支基に設けた前向付勢手段に抗して背凭れ支持杆が後向きに回動しうるように枢着してなるリクライニング椅子において、前記背凭れ支持杆の下端に、その枢着部の回転軸線と直交する方向を向く突部を設けるとともに、前記支基に、ストッパ部材を、前記突部と当接することにより、前記背凭れ支持杆の前方への回動を阻止し、前記背凭れを起立状態に保持しうる位置から、突部の回動軌跡より退避させることにより、前記背凭れ支持杆の前方への回動を許容し、背凭れを前傾させうる位置までの間を移動可能に設ける。
【０００７】
（２）上記(１)項において、突部を、背凭れの支持杆の下端に連設された左右方向を向く枢軸部の外周面に前向きに突設するとともに、ストッパ部材を、支基における前記枢軸部より前方の上面に、前後方向に移動可能に設ける。
【０００８】
（３）上記(２)項において、ストッパ部材に、上下方向を向くめねじ孔を設け、このめねじ孔に、支基の下面に設けた前後方向を向く長孔に下方より挿入したボルトを螺合することにより、ストッパ部材を、支基の上面に前後方向に移動可能に固定する。
【０００９】
（４）上記(１)〜(３)項のいずれかにおいて、突部とストッパ部材とを、少なくとも左右１対ずつ設ける。
【００１０】
（５）上記(１)〜(４)項のいずれかにおいて、背凭れ支持杆に座体の後部を左右方向を向く軸まわりに回動可能に枢着するとともに、座体の前端部を、その下面と支基の上面に設けたガイド手段により前後方向に摺動可能に支持してなるものにおいて、背凭れを前傾させたとき、前記座体の前端部が前記ガイド手段のガイド領域から外れ、座体を、後部の枢着部を中心として上向きに回動させうるようにする。
【発明の効果】
【００１１】
請求項１記載の発明によれば、椅子を輸送する際や倉庫等に保管する際に、背凭れ支持杆及び背凭れを、起立状態から前傾させうるので、椅子全体の高さが低くなり、輸送時の積載効率や保管効率が向上する。
【００１２】
請求項２記載の発明によれば、突部及びストッパ部材が支基の外部に露呈することがないので、見栄えがよくなる。
また、ストッパ部材は、支基の上面に前後方向に移動可能に設けられているので、背凭れを起立状態に保持する際の前向付勢手段による下向きの荷重を、支基の上面により安定的に受け止められる。
【００１３】
請求項３記載の発明によれば、支基の下面側から、ボルトを操作するだけで、ストッパ部材を前後方向に容易に移動しうるとともに、背凭れを、起立状態と前傾状態とに簡単に変更することができる。
また、ボルトは、支基の下面より挿入され、目立たないので見栄えもよい。
【００１４】
請求項４記載の発明によれば、背凭れを起立状態とした際の前向付勢手段の荷重が、突部とストッパ部材とにより左右均等に受け止められるので、背凭れ支持杆に偏荷重が作用することがなく、その下端部が変形したりするのが防止される。
【００１５】
請求項５記載の発明によれば、座体の前端部を支基より取外して、後部を中心として上向きに回動させ、背凭れの前面に近接するように重合させうるので、脚体と、支基及び背凭れ支持杆とを分離して別々に梱包する際等に、ダンボール等を小型として、荷姿を小さくすることが可能となり、輸送時の積載効率や倉庫等への保管効率がより向上する。
【発明を実施するための最良の形態】
【００１６】
以下、本発明の実施形態を、図面に基づいて説明する。
図１は、本発明のリクライニング椅子（以下椅子と略称する）の一実施形態を示す正面図、図２は、同じく側面図で、椅子(１)は、先端にキャスタ(２)が取付けられた放射方向を向く５本の脚杆(３)を有する脚体(４)と、その中心に立設され、内部に収容されたガススプリング（図示略）により伸縮可能な脚柱(５)と、この脚柱(５)の上端に固着された支基(６)とを備えている。
【００１７】
支基(６)の前端には、斜め前上方を向くとともに、前方に向かうにしたがって外側方に拡開する平面視枠状の座支持フレーム(７)が一体的に連設されている。
【００１８】
(８)は、支基(６)の上面を覆う上カバーである。
(９)(９)は、左右１対の背凭れ支持杆で、側面視概ねくの字形をなすとともに、下端には、内向きの枢軸部(9a)が連設されている。
【００１９】
左右の背凭れ支持杆(９)の上端に固着された左右方向を向く背凭れ支持部材(10)の上端の上向突出片（図示略）には、背凭れ(11)における左右両側の下端部が嵌合され、図示しないねじにより固着されている。
【００２０】
図３及び図４にも示すように、座支持フレーム(７)における左右の前端部上面には、左右両側面に前後方向を向く１対の外向コ字状のガイド溝(12a)(12a)を有するガイド部材(12)(12)が、ボルト(13)により固着され、この両ガイド部材(12)には、座体(14)における合成樹脂よりなる座板(15)の前端部の両側部下面が、それに一体形成された前後方向を向くスライド部材(16)(16)における下面のあり溝状のスライド溝(16a)を、上記ガイド溝(12a)に摺動可能に嵌合することにより、前後方向に移動可能に支持されている。
【００２１】
なお、座体(14)を前後いずれかの方向に大きく移動させると、ガイド部材(12)のガイド溝(12a)よりスライド部材(16)のスライド溝(16a)が外れて、座支持フレーム(７)より取外すことができるようになっている。
【００２２】
座板(15)の左右両側の後端部に一体的に上向突設された左右１対の座支持片(17)(17)の上端は、左右の背凭れ支持部材(10)に枢着され、これにより、座体(14)の後端は、背凭れ支持杆(９)により回動可能に吊支されている。
【００２３】
図３に示すように（上カバーは図示略）、支基(６)の上面の凹部内の中央には、左右方向を向く内筒(18)と、それよりも大径かつ短寸の外筒(19)と、それらの間に固着されたトーションゴム(20)とからなる公知のゴムトーションユニット(21)が、外筒(19)が回り止めされて収容されている。
【００２４】
図５に示すように、ゴムトーションユニット(21)における内筒(18)の両側端部には、左右の背凭れ支持杆(９)の枢軸部(9a)の内端部が外嵌され、それらにピン(22)を圧入することにより、互いに相対回転不能に連結されている。
【００２５】
これにより、左右の背凭れ支持杆(９)には、内筒(18)がトーションゴム(20)を円周方向に弾性変形させる際に生じるねじり抵抗により、付勢力が付与される。
なお、ゴムトーションユニット(21)は、背凭れ支持杆(９)が常時前向きに付勢されるように、内筒(18)に初期付勢力を付与した状態で組付けられている。
【００２６】
左右の背凭れ支持杆(９)における枢軸部(9a)の内端部外周面の上半部には、枢軸部(9a)の軸線と直交する方向を向くフランジ状の突部(23)が一体的に形成され、その前方への突出部の下面と後方への突出部の下面には、前限用被ストッパ段部(23a)と、それよりも若干上方に位置する後限用被ストッパ段部(23b)とが形成されている。
【００２７】
前限用被ストッパ段部(23a)は、支基(６)の左右両側部上面の凹部(24)内に前後方向に移動可能に遊嵌された前限用ストッパ部材(25)の上面に、また後限用被ストッパ段部(23b)は、支基(６)の後部上面の後限用ストッパ面(26)に、それぞれ当接し、これにより、背凭れ支持杆(９)と背凭れ(11)の前後方向への最大傾動量が規制される。
【００２８】
上記前限用ストッパ部材(25)の下半部には、上下方向を向くめねじ孔(27)が形成され、このめねじ孔(27)に、支基(６)の下面に形成された前後方向に長い段付長孔(28)の下方より挿入したボルト(29)を螺合することにより、前限用ストッパ部材(25)は、凹部(24)内において前後の位置を調節可能に固定されている。
【００２９】
すなわち、前限用ストッパ部材(25)を、前限用被ストッパ段部(23a)と当接する図５に示す位置から、凹部(24)の前限まで移動させて固定すると、図６に示すように、前限用ストッパ部材(25)の後端は、前限用被ストッパ段部(23a)の前端の回動軌跡より退避し、前方に位置する。これにより、背凭れ支持杆(９)は、ゴムトーションユニット(21)の外筒(19)に連設された突出部(19a)の先端が、上カバー(８)の下面と当接するまで前方に回動可能となる。
【００３０】
図７は、この状態としたときの椅子(１)の側端図で、背凭れ支持杆(９)に取付けた背凭れ(11)は、図２の起立状態から大きく前方に傾動する。また、これと同時に、座支持フレーム(７)のガイド部材(12)にスライド可能に嵌合されている座板(15)の前端部下面のスライド部材(16)が、ガイド部材(12)から抜け外れることにより、座体(14)を、その後端の枢着部を中心として上方に回動させることが可能となる。
【００３１】
これにより、椅子(１)の高さが低くなり、車両への積載効率や、倉庫に保管する際の保管効率が向上する。
また、座体(14)の前端部を座支持フレーム(７)より容易に取外して、背凭れ(11)の前面と近接するように重合させうるので、脚体(４)から脚柱(５)を抜き外して、脚体(４)と、それより上方の部分を別々に梱包する際に、ダンボール等を小型のものを使用して、荷姿を小さくすることができ、積載効率や保管効率がより向上する。
【００３２】
上記実施形態においては、前限用ストッパ部材(25)を、支基(６)の上面に設けているが、ストッパ部材を、左右方向を向くピン状のものに代えて、これを、支基(６)の両側面に、前限用被ストッパ段部(23a)の下方に向かって、進退可能に設けることもある。
【００３３】
本発明は、座体が脚体に固定的に設けられ、背凭れのみが前後に傾動するリクライニング椅子にも適用しうることは勿論である。
【図面の簡単な説明】
【００３４】
【図１】本発明のリクライニング椅子の一実施形態を示す正面図である。
【図２】同じく、側面図である。
【図３】図１のIII−III線に沿う要部の平面図である。
【図４】図２のIＶ−IＶ線拡大縦断面図である。
【図５】図３のＶ−Ｖ線拡大縦断側面図である。
【図６】同じく、前限用被ストッパ段部と前限用ストッパ部材との係合を解除して、背凭れ支持杆を前方に回動したときの図５と同部位の縦断側面図である。
【図７】同じく、背凭れ支持杆を前方に回動したときの椅子全体の側面図である。
【符号の説明】
【００３５】
(１)リクライニング椅子
(２)キャスタ
(３)脚杆
(４)脚体
(５)脚柱
(６)支基
(７)座支持フレーム
(８)上カバー
(９)背凭れ支持杆
(9a)枢軸部
(10)背凭れ支持部材
(11)背凭れ
(12)ガイド部材
(12a)ガイド溝
(13)ボルト
(14)座体
(15)座板
(16)スライド部材
(16a)スライド溝
(17)座支持片
(18)内筒
(19)外筒
(19a)突出部
(20)トーションゴム
(21)ゴムトーションユニット
(22)ピン
(23)突部
(23a)前限用被ストッパ段部（突部）
(23b)後限用被ストッパ段部
(24)凹部
(25)前限用ストッパ部材
(26)後限用ストッパ面
(27)めねじ孔
(28)段付長孔
(29)ボルト
【図１】
2007275363.tif 000003
【図２】
2007275363.tif 000004
【図３】
2007275363.tif 000005
【図４】
2007275363.tif 000006
【図５】
2007275363.tif 000007
【図６】
2007275363.tif 000008
【図７】
2007275363.tif 000009